(57)【要約】【課題】据付時に作業者から受ける外力によって外郭が変形、損傷することを防止した空気調和装置の室外ユニットを提供する。【解決手段】空気調和装置の室外ユニット１は、冷凍回路の一部を収納する略直方体形状のケーシング２を備えている。ケーシング２は、第１側板２１と、第２側板２２と、天板２５と、底板２６と、空気吸込口２７と、補強部材３１とを有している。第１側板２１は、上端から下端にかけて複数の通気口１７が設けられている。第２側板２２は、第１側板２１と離れて対向している。天板２５は、第１側板２１の上端部から第２側板２２の上端部に架設されている。底板２６は、第１側板２１の下端部から第２側板２２の下端部に架設されている。空気吸込口２７は、第１側板２１と第２側板２２と天板２５と底板２６とによって形成される開口から成る。補強部材３１は、空気吸込口２７を横断して第１側板２１と第２側板２２とを結ぶ。【選択図】図１
2008138896.tif 000002
【特許請求の範囲】
【請求項１】
冷凍回路の一部を収納する略直方体形状のケーシング（２）を備えた空気調和装置の室外ユニットであって、
前記ケーシング（２）が、
通気口（１７）が設けられている第１側板（２１）と、
前記第１側板（２１）と離れて対向する第２側板（２２）と、
前記第１側板（２１）の上端部から前記第２側板（２２）の上端部に架設される天板（２５）と、
前記第１側板（２１）の下端部から前記第２側板（２２）の下端部に架設される底板（２６）と、
前記第１側板（２１）と前記第２側板（２２）と前記天板（２５）と前記底板（２６）とによって形成される開口から成る空気吸込口（２７）と、
前記空気吸込口（２７）を横断して前記第１側板（２１）と前記第２側板（２２）とを結ぶ補強部材（３１）と、
を有している、
空気調和装置の室外ユニット（１）。
【請求項２】
前記通気口（１７）が複数である、
請求項１に記載の空気調和装置の室外ユニット（１）。
【請求項３】
前記通気口（１７）が前記第１側板（２１）の上端から下端にかけて設けられている、
請求項２に記載の空気調和装置の室外ユニット（１）。
【請求項４】
曲げ部を有する室外熱交換器（１３、１４）をさらに備え、
前記ケーシング（２）は、前記室外熱交換器（１３、１４）の前記曲げ部からみた長寸法側（１３ａ，１４ａ）と短寸法側（１３ｂ，１４ｂ）とを直立させた状態で前記室外熱交換器（１３，１４）を収納し、
前記第１側板（２１）の前記通気口（１７）は、前記室外熱交換器（１３，１４）の短寸法側（１３ｂ，１４ｂ）と対向し、
前記空気吸込口（２７）は、前記室外熱交換器（１３，１４）の長寸法側（１３ａ，１４ａ）と対向し、前記補強部材（３１）によって上下に２分されている、
請求項１に記載の空気調和装置の室外ユニット（１）。
【請求項５】
前記ケーシング（２）は、所定サイズ以上の物体が前記空気吸込口（２７）から侵入することを防止する１つ以上の保護グリル（４１，４２）をさらに有し、
前記保護グリル（４１，４２）の少なくとも１つが、前記補強部材（３１）によって支持されている、
請求項１に記載の空気調和装置の室外ユニット（１）。
【請求項６】
前記第１側板（２１）は、第１上側板（２１ａ）と第１下側板（２１ｂ）とが第１継ぎ部（２１０）で上下に連結されることによって形成されており、
前記第２側板（２２）は、第２上側板（２２ａ）と第２下側板（２２ｂ）とが第２継ぎ部（２２０）で上下に連結されることによって形成されており、
前記補強部材（３１）の一端が前記第１継ぎ部（２１０）に連結され、前記補強部材（３１）の他端が前記第２継ぎ部（２２０）に連結されている、
請求項１に記載の空気調和装置の室外ユニット（１）。
【請求項７】
前記ケーシング（２）は、前記ケーシング（２）の転倒を防止する部材（６４）が連結される連結部（５１，５２）をさらに有し、
前記連結部（５１，５２）が、前記補強部材（３１）の所定の位置に設けられている、
請求項１に記載の空気調和装置の室外ユニット（１）。
【請求項８】
前記ケーシング（２）は、前記空気吸込口（２７）と離れて対向する前面板（２３ａ，２３ｂ）上を横断して固定される第２の補強部材（３２）をさらに有している、
請求項１に記載の空気調和装置の室外ユニット（１）。
【請求項９】
前記ケーシング（２）は、前記ケーシング（２）の転倒を防止する部材（６４）が連結される連結部（５１，５２）をさらに有し、
前記連結部（５１，５２）が、前記第２の補強部材（３２）の所定の位置に設けられている、
請求項８に記載の空気調和装置の室外ユニット（１）。
【発明の詳細な説明】
【技術分野】
【０００１】
本発明は、空気調和装置の室外ユニットに関する。
【背景技術】
【０００２】
空気調和装置の室外ユニットは、略直方体形状のケーシングで覆われており、内部には、室外熱交換器及び室外ファン等が配置されている。室外熱交換器はＬ字状に曲げ加工されており、室外熱交換器と対向するケーシングの背面および１つの側面には、空気を導入するための吸込口が形成されている（例えば、特許文献１参照）。
【特許文献１】特開２００５−０７６９２３号公報
【発明の開示】
【発明が解決しようとする課題】
【０００３】
その室外ユニットの据付作業において、作業者は室外ユニットの位置を調整するために、吸込口に手を挿入してケーシングの板金部を掴み、室外ユニットを左右前後に移動させる。このとき、作業者の不注意で必要以上の外力が板金部に作用すると、板金部が変形し著しく外観を損なうことがある。
【０００４】
また、室外ユニットの中には、既存の室外ユニットの室外熱交換器やケーシングに、継ぎ足し用の熱交換器や板金を付加することによって、能力を増大させた室外ユニットがあり、そのような室外ユニットでは、板金の継ぎ足し部の強度が他の部分よりも弱く、室外ユニットの据付作業時に継ぎ足し部が損傷し使用できなくなる可能性がある。
【０００５】
本発明の課題は、据付時に作業者から受ける外力によって外郭が変形、損傷することを防止した空気調和装置の室外ユニットを提供することである。
【課題を解決するための手段】
【０００６】
第１発明に係る空気調和装置の室外ユニットは、冷凍回路の一部を収納する略直方体形状のケーシングを備えた空気調和装置の室外ユニットであって、ケーシングが、第１側板と、第２側板と、天板と、底板と、空気吸込口と、補強部材とを有している。第１側板には、通気口が設けられている。第２側板は、第１側板と離れて対向している。天板は、第１側板の上端部から第２側板の上端部に架設されている。底板は、第１側板の下端部から第２側板の下端部に架設されている。空気吸込口は、第１側板と第２側板と天板と底板とによって形成される開口から成る。補強部材は、空気吸込口を横断して第１側板と第２側板とを結ぶ。
【０００７】
この室外ユニットでは、通気口の形成によって低下した第１側板の強度を、補強部材が補う。このため、室外ユニット据付時に作業者が第１側板を掴んで移動させる行為があっても、第１側板が容易に変形しない。
【０００８】
第２発明に係る空気調和装置の室外ユニットは、第１発明に係る空気調和装置の室外ユニットであって、通気口が複数である。
【０００９】
この室外ユニットでは、複数の通気口が設けられた第１側板の強度が、補強部材によって補われている。そして、複数の通気口が設けられたことによって、空気の流通量が増加し、室外熱交換器での熱交換量が増大する。
【００１０】
第３発明に係る空気調和装置の室外ユニットは、第２発明に係る空気調和装置の室外ユニットであって、通気口が第１側板の上端から下端にかけて設けられている。
【００１１】
この室外ユニットでは、複数の通気口が上端から下端にかけて設けられた第１側板の強度が、補強部材によって補われている。そして、複数の通気口が上端から下端にかけて設けられたことによって、空気の流通量が増加し、室外熱交換器での熱交換量が増大する。
【００１２】
第４発明に係る空気調和装置の室外ユニットは、第１発明に係る空気調和装置の室外ユニットであって、曲げ部を有する室外熱交換器をさらに備えている。ケーシングは、室外熱交換器の曲げ部からみた長寸法側と短寸法側とを直立させた状態で室外熱交換器を収納している。第１側板の通気口は、室外熱交換器の短寸法側と対向している。空気吸込口は、室外熱交換器の長寸法側と対向し、補強部材によって上下に２分されている。
【００１３】
この室外ユニットでは、空気吸込口が大形化することによって起こり易い長軸回りの捩じれ変形に対して、補強部材がその捩じれ変形を抑制する。このため、組立途中のケーシングにおいて、空気吸込口周りの捩じれ変形が抑制され、組立時の姿勢が安定し作業性が向上する。
【００１４】
第５発明に係る空気調和装置の室外ユニットは、第１発明に係る空気調和装置の室外ユニットであって、ケーシングが、１つ以上の保護グリルをさらに有している。保護グリルは、所定サイズ以上の物体が空気吸込口から侵入することを防止する。また、保護グリルの少なくとも１つは補強部材によって支持される。
【００１５】
この室外ユニットでは、空気吸込口よりも高さ寸法の小さい保護グリルであっても、補強部材を介して空気吸込口に装着される。このため、高さ寸法の小さい保護グリルを別機種の保護グリルとして転用することができ、部品の兼用が図られコストが低減される。
【００１６】
第６発明に係る空気調和装置の室外ユニットは、第１発明に係る空気調和装置の室外ユニットであって、第１側板は、第１上側板と第１下側板とが第１継ぎ部で上下に連結されることによって形成されている。第２側板は、第２上側板と第２下側板とが第２継ぎ部で上下に連結されることによって成形されている。補強部材の一端は第１継ぎ部に連結され、補強部材の他端は第２継ぎ部に連結されている。
【００１７】
この室外ユニットでは、第１側板の第１継ぎ部における水平方向の変形、および第２側板の第２継ぎ部における水平方向の変形が補強部材によって防止される。このため、室外ユニット据付時に作業者が第１側板、第２側板を掴んで移動させる行為があっても、第１側板、第２側板が容易に変形しない。
【００１８】
第７発明に係る空気調和装置の室外ユニットは、第１発明に係る空気調和装置の室外ユニットであって、ケーシングが連結部をさらに有している。連結部には、ケーシングの転倒を防止する部材が連結される。連結部は、補強部材の所定の位置に設けられている。
【００１９】
この室外ユニットでは、補強部材が、ケーシングの転倒を防止する部材との連結機能を兼ねているので、部品点数の削減となりコストが低減される。
【００２０】
第８発明に係る空気調和装置の室外ユニットは、第１発明に係る空気調和装置の室外ユニットであって、ケーシングが第２の補強部材をさらに有している。第２の補強部材は、ケーシングの空気吸込口と離れて対向する前面板上を横断して固定される。
【００２１】
この室外ユニットでは、ケーシングの強度が増大するので、外力によってケーシングが容易に変形することがない。
【００２２】
第９発明に係る空気調和装置の室外ユニットは、第８発明に係る空気調和装置の室外ユニットであって、ケーシングが連結部をさらに有している。連結部には、ケーシングの転倒を防止する部材が連結される。連結部は、第２の補強部材の所定の位置に設けられている。
【００２３】
この室外ユニットでは、第２の補強部材が、ケーシングの転倒を防止する部材との連結機構を兼ねているので、部品点数の削減となりコストが低減される。
【発明の効果】
【００２４】
第１発明に係る空気調和装置の室外ユニットでは、通気口の形成によって低下した第１側板の強度を補強部材が補っているので、室外ユニット据付時に作業者が第１側板を掴んで移動させる行為があっても、第１側板が容易に変形しない。
【００２５】
第２発明と第３発明に係る空気調和装置の室外ユニットでは、空気の流通量が増加し、室外熱交換器での熱交換量が増大する。
【００２６】
第４発明に係る空気調和装置の室外ユニットでは、組立途中のケーシングにおいて、空気吸込口周りの捩じれ変形が抑制され、組立時の姿勢が安定し作業性が向上する。
【００２７】
第５発明に係る空気調和装置の室外ユニットでは、空気吸込口よりも高さ寸法の小さい保護グリルであっても、補強部材を介して空気吸込口に装着されるので、高さ寸法の小さい保護グリルを別機種の保護グリルとして転用することができ、部品の兼用が図られコストが低減される。
【００２８】
第６発明に係る空気調和装置の室外ユニットでは、第１側板の第１継ぎ部における水平方向の変形、および第２側板の第２継ぎ部における水平方向の変形が補強部材によって防止されるので、室外ユニット据付時に作業者が第１側板、第２側板を掴んで移動させる行為があっても、第１側板、第２側板が容易に変形しない。
【００２９】
第７発明に係る空気調和装置の室外ユニットでは、補強部材が、ケーシングの転倒を防止する部材との連結機能を兼ねているので、部品点数の削減となりコストが低減される。
【００３０】
第８発明に係る空気調和装置の室外ユニットでは、ケーシングの強度が増大するので、外力によってケーシングが容易に変形することがない。
【００３１】
第９発明に係る空気調和装置の室外ユニットでは、第２の補強部材が、ケーシングの転倒を防止する部材との連結機構を兼ねているので、部品点数の削減となりコストが低減される。
【発明を実施するための最良の形態】
【００３２】
＜室外ユニットの全体構造＞
図１は、本発明の一実施形態に係る空気調和装置の室外ユニットの外観図である。図１において、室外ユニット１は、略直方体形状のケーシング２で覆われており、内部に、冷凍回路の一部を成す機器（図示せず）が収納されている。
【００３３】
（ケーシング）
ケーシング２は、第１側板２１と、第２側板２２と、前面部２３と、背面部２４と、天板２５と、底板２６とによって略直方体形状に形成されている。図２は、室外熱交換器を収納したケーシングの分解斜視図である。図２において、第１室外熱交換器１３は、ケーシング２の上部に配置される。第１室外熱交換器１３は、Ｌ字状に曲げ加工されており、曲げ加工後の曲げ部からみた長寸法側１３ａと短寸法側１３ｂとが直立するように配置されている。
【００３４】
第２室外熱交換器１４は、第１室外熱交換器１３の下方に配置される。第２室外熱交換器１４は、Ｌ字状に曲げ加工されており、曲げ加工後の長寸法側１４ａと短寸法側１４ｂとが直立するように配置されている。第１室外熱交換器１３と第２室外熱交換器１４とは、冷媒が流通できるように銅管によって接続されている。
【００３５】
第１側板２１は、第１上側板２１ａと第１下側板２１ｂとが上下に連結されている。第１上側板２１ａは、Ｌ字状に曲げ加工された板であり、曲げ加工後の長寸法側は、上前面板２３ａとして前面部２３の一部となる。曲げ加工後の短寸法側には、上端から下端にかけて複数の通気口１７が設けられている。この通気口１７は、前述の第１室外熱交換器１３の短寸法側１３ｂと対向しており、熱交換用の空気が流通する。
【００３６】
第１下側板２１ｂも、Ｌ字状に曲げ加工された板であり、曲げ加工後の長寸法側は、下前面板２３ｂとして前面部２３の一部となる。曲げ加工後の短寸法側には、上端から下端にかけて複数の通気口１７が設けられている。この通気口１７は、前述の第２室外熱交換器１４の短寸法側１４ｂと対向しており、熱交換用の空気が流通する。
【００３７】
第２側板２２は、第２上側板２２ａと第２下側板２２ｂとが上下に連結されている。第２上側板２２ａは、Ｌ字状に曲げ加工された板であり、曲げ加工後の長寸法側は、上背面板２４ａとして背面部２４の一部となる。第２下側板２２ｂも、Ｌ字状に曲げ加工された板であり、曲げ加工後の長寸法側は、下背面板２４ｂとして背面部２４の一部となる。
【００３８】
前面部２３は、上前面板２３ａ、下前面板２３ｂ及び補助前面板２３ｃによって形成されている。下前面板２３ｂは、２つの空気吹出口２３ｄを有している。２つの空気吹出口２３ｄは、ケーシング２内部に配置される２つの送風ファン（図示せず）とそれぞれ対向する位置にある。そして、各空気吹出口２３ｄには、人の手などが送風ファンと接触しないようにファンガード７１が装着されている。
【００３９】
補助前面板２３ｃは、Ｌ字状に曲げ加工された板であり、曲げ加工後の長寸法側は、上前面板２３ａ及び下前面板２３ｂと連結される。曲げ加工後の短寸法側は、補助側板２２ｃとして、第２上側板２２ａ及び第２下側板２２ｂと連結される。
【００４０】
図１において、背面部２４は、上背面板２４ａ、下背面板２４ｂ、補強板３１及び空気吸込口２７によって形成されている。空気吸込口２７は、補強板３１によって上下に２分されており、上側が第１空気吸込口２７ａであり、下側が第２空気吸込口２７ｂである。第１空気吸込口２７ａは、第１上側板２１ａと、上背面板２４ａと、補強板３１と、天板２５とで囲まれた開口である。第２空気吸込口２７ｂは、第１下側板２１ｂと、下背面板２４ｂと、補強板３１と、底板２６とで囲まれた開口である。
【００４１】
第１空気吸込口２７ａには、第１保護グリル４１が装着される。図１，図２に示すように、第１保護グリル４１は、格子状に形成された金属製のワイヤ４１ａがポリプロピレン樹脂製の枠４１ｂで支持された構造である。枠４１ｂの天板２５と対向する端部には、掛かり爪４１ｃが設けられており、天板２５の端部側には掛かり爪４１ｃが掛けられる孔２５ａが形成されている。掛かり爪４１ｃが天板２５の孔２５ａに掛けられた後、ワイヤ４１ａの一部がケーシング２内部に設けられたワイヤ保持部２０ａに保持される。
【００４２】
（補強板）
第２空気吸込口２７ｂには、第２保護グリル４２が装着される。詳細については、補強板３１を説明する際に述べる。図３は、補強板の拡大斜視図である。図３に示すように、補強板３１の一端は、第１継ぎ部２１０において第１上側板２１ａと第１下側板２１ｂと共にネジ２９によって締結されており、補強板３１の他端は、第２継ぎ部２２０において第２上側板２２ａと第２下側板２２ｂと共にネジ２９によって締結されている。
【００４３】
第１継ぎ部２１０は、第１上側板２１ａと第１下側板２１ｂとの連結場所であり、第２継ぎ部２２０は、第２上側板２２ａと第２下側板２２ｂとの連結場所であるので、他の部分よりも弱く曲がり易い構造であるが、補強板３１が設けられることによって、曲がりに難い構造となっている。また、第１側板２１は、複数の通気口１７が形成されることによって曲げ強度が低下するが、補強板３１の存在が低下した第１側板２１の曲げ強度を補っている。このため、作業者が第１側板２１、第２側板２２を掴んで引っ張る行為或は押す行為を行っても、補強板３１が第１側板２１、第２側板２２の変位を阻止するので容易に変形することがない。
【００４４】
補強板３１には、第２保護グリル４２が吊下げられる。第２保護グリル４２は、格子状に形成された金属製のワイヤ４２ａがポリプロピレン樹脂製の枠４２ｂで支持された構造である。枠４２ｂの補強板３１側と対向する端部には、掛かり爪４２ｃが設けられており、補強板３１側には掛かり爪４２ｃが掛けられるように孔３１ａが形成されている。掛かり爪４２ｃが補強板３１の孔３１ａに掛けられた後、ワイヤ４２ａの一部がケーシング２内部に設けられたワイヤ保持部２０ａ（図１、図２参照）に保持される。
【００４５】
＜室外ユニットの転倒防止＞
（背面部からの固定）
図４（ａ）は、室外ユニットの設置状態を示す側面図である。図４（ａ）において、室外ユニット１は、地上から所定の高さ位置にある台６１に据付けられる。台６１は壁６２から水平に延出しており、台６１と壁６２との間には支え板６３が傾斜した状態で配置されている。また、室外ユニット１が転倒しないように、室外ユニット１の背面部２４と壁６２とは転倒防止部材６４で繋がれている。
【００４６】
転倒防止部材６４の連結部は、補強板３１上に設けられている。図５（ａ）は、転倒防止部材の連結部が設けられた補強板を示す第１変形例の斜視図である。図５（ａ）において、転倒防止部材６４は、ネジの頭部がリング状になっているアイボルト６５と、アイボルト６５に引っ掛かるフック６６とで構成されている。アイボルト６５が室外ユニット１側に連結されるように、補強板３１上には連結部５１が設けられており、連結部５１にはアイボルト６５のネジ部が螺合する連結用ネジ孔５１ａが形成されている。
【００４７】
図５（ｂ）は、転倒防止部材の連結部が設けられた補強板を示す第２変形例の斜視図である。図５（ｂ）において、フック６６が直接掛けられるように、補強板３１には連結用孔５２ａが形成された連結部５２が設けられている。
【００４８】
（前面部、背面部からの固定）
室外ユニット１は、前面部、背面部の両面から固定されてもよい。図４（ｂ）は、室外ユニットの他の設置状態を示す側面図である。図４（ｂ）において、室外ユニット１は、地上、又は地上から所定の高さ位置にある台６１に据付けられる。また、室外ユニット１が転倒しないように、室外ユニット１の前面部２３及び背面部２４と、台６１とは転倒防止部材６４で繋がれている。転倒防止部材６４が、室外ユニット１に連結されるときは、図５（ａ）、図５（ｂ）で示したような補強板が使用される。
【００４９】
図６は、室外ユニットの前面部に第２の補強板が装着される状態を示した斜視図である。図６で示すように、第２の補強板３２は、補強板３１とほぼ同じ形状を成し、上前面板２３ａと下前面板２３ｂとの繋ぎ目を隠すように取り付けられる。
【００５０】
＜特徴＞
（１）
室外ユニット１では、第１上側板２１ａと第１下側板２１ｂとが第１継ぎ部２１０で上下に連結されることによって第１側板２１が形成され、第２上側板２２ａと第２下側板２２ｂとが第２継ぎ部２２０で上下に連結されることによって第２側板２２が形成されている。補強板３１の一端は第１継ぎ部２１０に連結され、補強板３１の他端は第２継ぎ部２２０に連結されている。このため、室外ユニット据付時に作業者が第１側板２１、第２側板２２を掴んで移動させる行為があっても、第１側板２１、第２側板２２が容易に変形しない。
【００５１】
（２）
室外ユニット１では、第２保護グリル４２が補強板３１によって支持されるので、高さ寸法の小さい機種の保護グリルを他機種の保護グリルとして転用することができ、部品の兼用が図られコストが低減される。
【００５２】
（３）
室外ユニット１では、補強板３１が背面部２４に装着され、第２の補強板３２が前面部２３に装着される。補強板３１及び第２の補強板３２に、転倒防止部材６４の連結部５１又は連結部５２が設けられることによって、部品点数が削減されコストが低減される。
【産業上の利用可能性】
【００５３】
以上のように本発明は、補強板が、ケーシングの補強機能、保護グリルの支持機能および転倒防止部材との連結機能を兼ね備えるので、ケーシングを高さ方向に継ぎ足して使用するタイプの室外ユニットに有用である。
【図面の簡単な説明】
【００５４】
【図１】本発明の一実施形態に係る空気調和装置の室外ユニットの外観図。
【図２】ケーシングの分解斜視図。
【図３】補強板の拡大斜視図。
【図４】（ａ）室外ユニットの設置状態を示す側面図。（ｂ）室外ユニットの他の設置状態を示す側面図。
【図５】（ａ）転倒防止部材の連結部が設けられた補強板を示す第１変形例の斜視図。（ｂ）転倒防止部材の連結部が設けられた補強板を示す第２変形例の斜視図。
【図６】室外ユニットの前面部に第２の補強板が装着される状態を示した斜視図。
【符号の説明】
【００５５】
１  室外ユニット
２  ケーシング
１３  第１室外熱交換器
１４  第２室外熱交換器
１７  通気口
２１  第１側板
２１ａ  第１上側板
２１ｂ  第１下側板
２２  第２側板
２２ａ  第２上側板
２２ｂ  第２下側板
２３ａ  上前面板（前面板）
２３ｂ  下前面板（前面板）
２７  空気吸込口
３１  補強板（補強部材）
３２  第２の補強板（第２の補強部材）
４２  第２保護グリル（保護グリル）
５１，５２  連結部
６４  転倒防止部材（転倒を防止する部材）
２１０  第１継ぎ部
２２０  第２継ぎ部
【図１】
2008138896.tif 000003
【図２】
2008138896.tif 000004
【図３】
2008138896.tif 000005
【図４】
2008138896.tif 000006
【図５】
2008138896.tif 000007
【図６】
2008138896.tif 000008